(57)【要約】【課題】より操作性に優れた画像処理装置を提供する。【解決手段】この画像処理装置は、画像形成装置において画像形成を行うための画像データを生成するものであって、操作画面を表示すると共にその操作画面上でのジェスチャー操作による指示を受け付けるインターフェイス部と、そのインターフェイス部に、設定値一覧および選択肢一覧を操作画面上に表示させる制御部とを備える。設定値一覧は、画像形成を行う際の複数の画像形成条件の設定値を含む。選択肢一覧は、複数の画像形成条件の設定値のうちジェスチャー操作がなされた操作画面上の操作位置に対応する一の画像形成条件の設定値に関する複数の選択肢を含む。【選択図】図１
2019097110.tif 000002
【特許請求の範囲】
【請求項１】
画像形成装置において画像形成を行うための画像データを生成する画像処理装置であって、
操作画面を表示すると共に前記操作画面上でのジェスチャー操作による指示を受け付けるインターフェイス部と、
前記インターフェイス部に、設定値一覧および選択肢一覧を前記操作画面上に表示させる制御部と
を備え、
前記設定値一覧は、前記画像形成を行う際の複数の画像形成条件の設定値を含み、
前記選択肢一覧は、前記複数の画像形成条件の設定値のうち前記ジェスチャー操作がなされた前記操作画面上の操作位置に対応する一の前記画像形成条件の設定値に関する複数の選択肢を含む
画像処理装置。
【請求項２】
前記制御部は、
前記操作画面上において、前記複数の画像形成条件の設定値のうち前記ジェスチャー操作がなされた前記操作位置に最も近接した位置に表示されている前記一の画像形成条件の設定値に関する前記複数の選択肢を前記選択肢一覧の視認可能領域に表示させる
請求項１記載の画像処理装置。
【請求項３】
前記制御部は、
前記ジェスチャー操作として第１の操作を行うことにより、前記選択肢一覧を前記インターフェイス部に表示させ、
前記ジェスチャー操作として前記第１の操作と異なる第２の操作を行うことにより、前記インターフェイス部に表示された前記選択肢一覧を前記インターフェイス部に消去させる
請求項１または請求項２記載の画像処理装置。
【請求項４】
前記制御部は、
前記操作画面として設定確認画面を前記インターフェイス部に表示させ、
前記設定確認画面上における前記ジェスチャー操作により、前記設定値一覧を前記インターフェイス部に表示させる
請求項１から請求項３のいずれか１項に記載の画像処理装置。
【請求項５】
前記設定値一覧および前記選択肢一覧が格納される記憶部をさらに備えた
請求項１から請求項４のいずれか１項に記載の画像処理装置。
【請求項６】
前記選択肢一覧は、前記複数の画像形成条件のうちの他の一の前記画像形成条件の設定値に関する他の複数の選択肢をさらに含み、
前記複数の選択肢および前記他の複数の選択肢は第１の方向に配列され、前記他の複数の選択肢についても選択的に前記視認可能領域に移動することができるようになっている
請求項２記載の画像処理装置。
【請求項７】
前記制御部は、
前記画像形成装置において媒体上に前記画像形成がなされたときの仮想の仕上がりを表すプレビューを含む設定確認画面を前記操作画面として前記インターフェイス部に表示させたのち、前記プレビュー上において前記ジェスチャー操作がなされたときに、前記プレビューと少なくとも一部が重なる位置に前記選択肢一覧を前記インターフェイス部に表示させる
請求項１記載の画像処理装置。
【請求項８】
前記選択肢一覧に含まれる前記複数の選択肢は、前記一の画像形成条件としての媒体サイズの設定値に関する
請求項７記載の画像処理装置。
【請求項９】
前記制御部は、
前記ジェスチャー操作のうちの拡大を想起させる第１の操作により、より大きな媒体サイズの選択肢を含む前記選択肢一覧を前記インターフェイス部に表示させ、
前記ジェスチャー操作のうちの縮小を想起させる第２の操作により、より小さな媒体サイズの選択肢を含む前記選択肢一覧を前記インターフェイス部に表示させる
請求項８記載の画像処理装置。
【請求項１０】
前記制御部は、前記ジェスチャー操作の方向、変位量および速度の少なくとも１つを判断可能である
請求項１から請求項９のいずれか１項に記載の画像処理装置。
【発明の詳細な説明】
【技術分野】
【０００１】
本発明は、画像処理を行う画像処理装置に関する。
【背景技術】
【０００２】
一般に、パーソナルコンピュータやモバイル端末装置等の外部装置から通信網を介して画像データを取得し、その画像データに基づく画像を用紙などの媒体上に形成する画像形成装置が広く用いられている。本出願人は、そのような画像形成装置に対し、ユーザの所望する条件に適した画像を送信することのできる端末装置やそれらの端末装置および画像形成装置を備えた画像形成システムを既に提案している（例えば特許文献１参照）。
【先行技術文献】
【特許文献】
【０００３】
【特許文献１】特開２０１６−１３９２５３号公報
【発明の概要】
【発明が解決しようとする課題】
【０００４】
ところで、このような画像形成システムに好適な画像処理装置では、ユーザがより容易に操作できることが要求される。
【０００５】
したがって、より操作性に優れた画像処理装置を提供することが望ましい。
【課題を解決するための手段】
【０００６】
本発明の一実施形態としての画像処理装置は、画像形成装置において画像形成を行うための画像データを生成するものであって、操作画面を表示すると共にその操作画面上でのジェスチャー操作による指示を受け付けるインターフェイス部と、そのインターフェイス部に、設定値一覧および選択肢一覧を操作画面上に表示させる制御部とを備える。設定値一覧は、画像形成を行う際の複数の画像形成条件の設定値を含む。選択肢一覧は、複数の画像形成条件の設定値のうちジェスチャー操作がなされた操作画面上の操作位置に対応する一の画像形成条件の設定値に関する複数の選択肢を含む。
【発明の効果】
【０００７】
本発明の一実施形態としての画像処理装置によれば、インターフェイス部に表示された設定値のうちのジェスチャー操作の操作位置に対応する一の画像形成条件の設定値に関する複数の選択肢がインターフェイス部に表示される。よって、ユーザは、変更したい設定値の近傍でジェスチャー操作を行い、表示される複数の選択肢から一の選択肢を選択することで、速やかに画像形成条件の設定値を変更できる。したがって、本発明の一実施形態の画像処理装置は、より操作性に優れる。
なお、これは本発明の効果の一例であり、本発明の効果はこれに限定されるものではなく、以下に記載のいずれの効果であってもよい。
【図面の簡単な説明】
【０００８】
【図１】第１の実施の形態に係るスマートフォンを備えた画像処理システムの一構成例を表すブロック図である。
【図２】図１に示したスマートフォンにおいて実行されるソフトウェアの一構成例を表すブロック図である。
【図３】図１に示したスマートフォンに表示される操作画面の第１の例を表す説明図である。
【図４】図１に示したスマートフォンに表示される操作画面の第２の例を表す説明図、およびその操作画面上でのユーザによるピンチイン操作の様子を表す模式図である。
【図５】図１に示したスマートフォンに表示される操作画面の第３の例を表す説明図、およびその操作画面上でのユーザによるピンチアウト操作の様子を表す模式図である。
【図６】図１に示したスマートフォンに表示される操作画面の第３の例を表す説明図である。
【図７】図１に示したスマートフォンにおける処理フローを表すフローチャートである。
【図８】第１の実施の形態の変形例としてのタッチパネル搭載ＰＣの要部の構成例を表す平面図である。
【図９】図８に示したタッチパネル搭載ＰＣに表示される操作画面の一例を表す平面図である。
【図１０】第２の実施の形態に係るスマートフォンに表示される操作画面の第１の例を表す説明図である。
【図１１】第２の実施の形態に係るスマートフォンに表示される操作画面の第２の例を表す説明図である。
【図１２Ａ】第２の実施の形態に係るスマートフォンにおける処理フローを表すフローチャートである。
【図１２Ｂ】第２の実施の形態に係るスマートフォンにおける図１２Ａに続く処理フローを表すフローチャートである。
【図１３】第２の実施の形態の変形例としてのタッチパネル搭載ＰＣの操作画面の構成例を表す平面図である。
【図１４】図１３に示したタッチパネル搭載ＰＣにおける処理フローを表すフローチャートである。
【発明を実施するための形態】
【０００９】
以下、本発明の実施の形態について、図面を参照して詳細に説明する。説明は以下の順序で行う。なお、以下の説明は本発明の一具体例であって、本発明は以下の態様に限定されるものではない。また、本発明は、各図に示す各構成要素の配置や寸法、寸法比などについても、それらに限定されるものではない。
１．第１の実施の形態
特定のジェスチャー操作により、印刷プレビュー上に選択肢一覧を表示させるスマートフォンアプリケーションの例。
２．第１の実施の形態の変形例
特定のジェスチャー操作により、印刷プレビュー上に選択肢一覧を表示させるプリンタドライバの例。
３．第２の実施の形態
特定のジェスチャー操作の操作位置に対応する設定値に関する複数の選択肢を表示させるスマートフォンアプリケーションの例。
４．第２の実施の形態の変形例
特定のジェスチャー操作の操作位置に対応する設定値に関する複数の選択肢を表示させるプリンタドライバの例。
５．その他の変形例
【００１０】
＜１．第１の実施の形態＞
［１.１  画像処理システムの構成例］
図１は、本発明の一実施の形態に係るスマートフォン１を備えた画像処理システムの一構成例を表すものである。この画像処理システムは、モバイル端末装置であるスマートフォン１と、画像形成装置２とを備えている。この画像処理システムでは、例えば印刷データ１２Ｃが近距離無線通信（ＮＦＣ；Near Field Communication）Ｃ１などの通信網を介して画像形成装置２へ送信され、その印刷データ１２Ｃに基づいて画像形成装置２が用紙などの媒体に画像形成する、すなわち印刷するようになっている。
なお、スマートフォン１は本発明の「画像処理装置」に対応する一具体例である。
【００１１】
（スマートフォン１の構成例）
スマートフォン１は、多機能携帯電話である。スマートフォン１は、例えば操作パネル１０と、ＲＡＭ（Random Access Memory）１１と、ＲＯＭ（Read Only Memory）１２と、ＣＰＵ（Central Processing Unit）１３と、ＮＦＣ通信部１４とを有している。
【００１２】
操作パネル１０は、表示部１０Ａと操作受付部１０Ｂとを有している。表示部１０Ａは、スマートフォン１の動作状態やユーザへの指示などを表示するものであり、例えば、液晶ディスプレイや各種インジケータなどを用いて構成される。操作受付部１０Ｂは、ユーザの指もしくはペンなどの指示体による特定のジェスチャー操作を受け付けるものであり、例えば、タッチパネルを用いて構成される。なお、ここでいうジェスチャー操作とは、表示部１０Ａの画面に沿った面内における座標点の移動を伴う指示体を媒介した操作をいう。  なお、操作パネル１０は本発明の「インターフェイス部」に対応する一具体例である。
【００１３】
ＲＯＭ１２は、スマートフォン１において用いられる様々な情報を記憶する、書き変え可能な不揮発性のメモリである。ＲＯＭ１２は、スマートフォン１において実行されるプログラムや、様々な設定情報を記憶している。具体的には、ＲＯＭ１２は、オペレーティングシステムや、後述するアプリケーションソフトウェア１１０などの様々なプログラムを記憶している。また、ＲＯＭ１２は、印刷設定選択肢一覧データ１２Ａ、現在の設定値データ１２Ｂ、印刷データ１２Ｃおよび印刷対象データ１２Ｄなどを記憶している。印刷設定選択肢一覧データ１２Ａは、後述する複数の印刷設定条件（例えば用紙サイズや印刷レイアウトタイプなど）の設定値に関連する複数の選択肢を含む印刷設定選択肢一覧２３１，２７１（後出の図１１，１３参照）のデータである。現在の設定値データ１２Ｂは、複数の印刷設定条件の各々に関連する複数の選択肢のうち、現在選択されている選択肢、すなわち現在の設定値（後述する印刷設定値一覧２２１）のデータをいう。印刷対象データ１２Ｄは、印刷対象となる画像や文書のレイアウトデータである。一方、印刷データ１２Ｃは、そのまま画像形成装置２へ送信される形式のデータであり、後述する複数の印刷設定条件の設定値の各々を印刷対象データ１２Ｄに反映させたものである。
なお、ＲＯＭ１２は本発明の「記憶部」に対応する一具体例である。また、印刷設定条件は、本発明の「画像形成条件」に対応する一具体例である。
【００１４】
ＣＰＵ１３は、ＲＯＭ１２に記憶された各種プログラムを実行することにより、スマートフォン１の動作を制御するものである。ＲＡＭ１１は、ＣＰＵ１３がプログラムを実行する際に、一時記憶領域として機能するものである。
【００１５】
ＮＦＣ通信部１４は、画像形成装置２のＮＦＣ通信部２０（後述）との間で近距離無線通信Ｃ１を行うものである。
【００１６】
（アプリケーションソフトウェア１１０の構成例）
図２は、スマートフォン１のＣＰＵ１３において実行されるアプリケーションソフトウェア１１０（以下、単にアプリ１１０という。）の一構成例を表すものである。アプリ１１０は、印刷データ生成部１１１と、ＵＩ（User Interface）制御部１１２とを有している。
【００１７】
印刷データ生成部１１１は、情報取得部１１１Ａと送信制御部１１１Ｂとを含んでいる。情報取得部１１１Ａは、ＲＯＭ１２に記憶された現在の設定値データ１２Ｂおよび印刷対象データ１２Ｄを取得するものである。送信制御部１１１Ｂは、情報取得部１１１Ａが取得した現在の設定値データ１２Ｂおよび印刷対象データ１２Ｄに基づいて、現在の設定値データ１２Ｂを印刷対象データ１２Ｄに反映させることで印刷データ１２Ｃを生成し、一旦ＲＯＭ１２に格納する。送信制御部１１１Ｂは、さらに、生成した印刷データ１２ＣをＲＯＭ１２から取得したのち、ＮＦＣ通信部１４の動作を制御することによりその印刷データ１２Ｃを画像形成装置２に供給するものである。
【００１８】
ＵＩ制御部１１２は、表示制御部１１２Ａと入力制御部１１２Ｂとを含んでいる。表示制御部１１２Ａは、操作パネル１０の動作を制御することにより、表示部１０Ａに情報を表示させるものである。入力制御部１１２Ｂは、ユーザが操作受付部１０Ｂに対しジェスチャー操作を行うことにより入力した情報を取得するものである。すなわち、ＵＩ制御部１１２では、操作受付部１０Ｂに対して行ったジェスチャー操作による入力情報を入力制御部１１２Ｂが取得し、表示制御部１１２Ａがその入力情報に基づいて、表示部１０Ａの表示内容を変更する処理を行うようになっている。ＵＩ制御部１１２は、ユーザが行うジェスチャー操作の方向、変位量および速度の少なくとも１つを判断可能なものである。
なお、ＵＩ制御部１１２は本発明の「制御部」に対応する一具体例である。
【００１９】
スマートフォン１は、スピーカ、振動部、および接続部などをさらに有していてもよい。スピーカは、音を出力するものである。振動部は、振動することにより、ユーザに対して、例えばスマートフォン１の動作状態を伝えるものであり、例えば振動モータを用いて構成される。接続部は、例えば、ケーブルを用いて外部機器と接続することにより、外部機器との間で情報のやり取りを行うものである。
【００２０】
（画像形成装置２の構成例）
画像形成装置２（図１）は、ＮＦＣ通信部２０を有している。
【００２１】
ＮＦＣ通信部２０は、スマートフォン１のＮＦＣ通信部１４との間で近距離無線通信Ｃ１を行うものである。この例では、ＮＦＣ通信部２０は、スマートフォン１のＮＦＣ通信部１４から印刷データ１２Ｃを受け取り、その印刷データ１２Ｃに基づく印刷画像を用紙などの媒体に印刷するようになっている。
【００２２】
（スマートフォン１の操作画面の構成例）
図３は、図２に示したアプリ１１０の実行により図１に示した表示部１０Ａに表示される操作画面の第１の例を表す説明図である。図３に示した操作画面は印刷設定確認画面２００であり、アプリ１１０の起動時における表示状態を表している。図３に示した印刷設定確認画面２００は、ユーザが現在の印刷設定を確認し、印刷処理を実行するかどうかの最終判断を行うための画面である。図３に示したように、印刷設定確認画面２００には、印刷プレビュー表示部２０１、印刷ページ数表示部２０２、出力先表示部２０３、印刷設定概略表示部２０４および印刷実行ボタン２０５が含まれている。
【００２３】
印刷プレビュー表示部２０１は、画像形成装置２において実際に媒体に印刷される際の仮想の仕上がりを表すプレビューを表示する部分である。印刷プレビュー表示部２０１に表示されるプレビューは、例えば、印刷の向き、媒体に対する印刷画像の位置、大きさおよび範囲、印刷画像がカラーであるかモノクロであるか、あるいは、片面印刷であるか両面印刷であるか、などの情報が取得できる程度のものである。または、印刷プレビュー表示部２０１に表示されるプレビューは、画像形成装置２において実際に媒体に印刷される印刷画像をそのまま縮小し、低解像度で表示されるものであってもよい。
【００２４】
印刷ページ数表示部２０２は、スマートフォン１から画像形成装置２に対し送信される印刷データ１２Ｃを含む印刷ジョブに従って画像形成装置２において印刷されるべきページ数を表す部分である。
【００２５】
出力先表示部２０３は、スマートフォン１からの印刷データ１２Ｃを含む印刷ジョブを受信し、印刷データ１２Ｃに基づく印刷処理が実行される画像形成装置２の識別可能な個別名称を表示する部分である。
【００２６】
印刷設定概略表示部２０４は、複数の印刷設定条件のうちの一部を表示する部分であり、本実施の形態では用紙サイズ、印刷部数および印刷範囲を表示している。なお、図３では、用紙サイズとして「Ａ４」を、印刷部数として「１部」を、印刷範囲として「すべて」をそれぞれ表示した状態を表している。
【００２７】
印刷実行ボタン２０５は、画像形成装置２に対する印刷処理実行の指示を確定するキーを表す部分である。ユーザが印刷実行ボタン２０５をタップすることにより、画像形成装置２に対する印刷処理の指示が確定するようになっている。
【００２８】
図４の（Ａ）は、図１に示した表示部１０Ａに表示される操作画面の第２の例を表す説明図である。図４の（Ａ）に示した操作画面は、図３に示した印刷設定確認画面２００における印刷プレビュー表示部２０１上に用紙サイズ選択肢一覧２１１Ａがポップアップ表示された状態を表している。図４の（Ａ）の用紙サイズ選択肢一覧２１１Ａは、図３の印刷設定確認画面２００が表示されている状態において、図４の（Ｂ）に示したように、ユーザが印刷プレビュー表示部２０１上で特定のジェスチャー操作を行うことによりポップアップ表示されるものである。より具体的には、アプリ１１０では、図４の（Ｂ）に示したように印刷プレビュー表示部２０１上で特定のジェスチャー操作としてピンチイン操作などの縮小を想起させる操作をユーザが行うことにより、図４の（Ａ）に示したように用紙サイズ選択肢一覧２１１Ａがポップアップ表示されるようになっている。ピンチイン操作により表示される用紙サイズ選択肢一覧２１１Ａには、現在の用紙サイズの設定値、すなわちＡ４サイズよりも小さな用紙サイズの候補が複数の選択肢として掲載される。このピンチイン操作は本発明の「第２の操作」に対応する一具体例である。なお、図４の（Ａ）に示したように、表示部１０Ａにおいて、用紙サイズ選択肢一覧２１１Ａは印刷プレビュー表示部２０１と少なくとも一部が重なる位置に表示されるようになっている。その際、用紙サイズ選択肢一覧２１１Ａは印刷プレビュー表示部２０１の全てを覆うように表示されてもよいが、印刷プレビュー表示部２０１の一部が視認可能な位置に表示されるとよい。また、図４の（Ａ）に示したように、用紙サイズ選択肢一覧２１１Ａがポップアップ表示されると、印刷設定確認画面２００のうち用紙サイズ選択肢一覧２１１Ａおよび印刷実行ボタン２０５を除く領域部分がグレーアウト表示となるようになっている。なお、グレーアウト表示された領域部分をタップすると、用紙サイズ選択肢一覧２１１Ａのポップアップ表示が消えるようになっている。あるいは、ポップアップ表示された用紙サイズ選択肢一覧２１１Ａの上でさらにピンチイン操作を行うことによっても、用紙サイズ選択肢一覧２１１Ａのポップアップ表示が消えるようになっている。
なお、用紙サイズ選択肢一覧２１１Ａは本発明の「選択肢一覧」に対応する一具体例である。
【００２９】
図４の（Ｂ）は、印刷プレビュー表示部２０１上でのユーザによるピンチイン操作の様子を表す模式図である。ここでいうピンチイン操作とは、表示部１０Ａの表面に沿って、ユーザの２本の指Ｆ１および指Ｆ２が破線で示す互いに離間した状態から実線で示す互いに接近した状態に向かう方向へ移動する操作をいう。
【００３０】
図５の（Ａ）は、図１に示した表示部１０Ａに表示される操作画面の第３の例を表す説明図である。図５の（Ａ）に示した操作画面は、図３に示した印刷設定確認画面２００における印刷プレビュー表示部２０１上に用紙サイズ選択肢一覧２１１Ｂがポップアップ表示された状態を表している。このアプリ１１０では、図５の（Ｂ）に示したように印刷プレビュー表示部２０１上で特定のジェスチャー操作としてピンチアウト操作などの拡大を想起させる操作をユーザが行うことにより、図５の（Ａ）に示したように用紙サイズ選択肢一覧２１１Ｂがポップアップ表示されるようになっている。より具体的には、アプリ１１０では、図５の（Ｂ）に示したように印刷プレビュー表示部２０１上で特定のジェスチャー操作としてピンチアウト操作をユーザが行うことにより、図５の（Ａ）に示したように用紙サイズ選択肢一覧２１１Ｂがポップアップ表示されるようになっている。ピンチアウト操作により表示される用紙サイズ選択肢一覧２１１Ｂには、現在の用紙サイズの設定値、すなわちＡ４サイズよりも大きな用紙サイズの候補が複数の選択肢として掲載される。このピンチアウト操作は本発明の「第１の操作」に対応する一具体例である。なお、図５の（Ａ）に示したように、表示部１０Ａにおいて、用紙サイズ選択肢一覧２１１Ｂは印刷プレビュー表示部２０１と少なくとも一部が重なる位置に表示されるようになっている。その際、用紙サイズ選択肢一覧２１１Ｂは印刷プレビュー表示部２０１の全てを覆うように表示されてもよいが、印刷プレビュー表示部２０１の一部が視認可能な位置に表示されるとよい。また、図５の（Ａ）に示したように、用紙サイズ選択肢一覧２１１Ｂがポップアップ表示されると、印刷設定確認画面２００のうち用紙サイズ選択肢一覧２１１Ｂおよび印刷実行ボタン２０５を除く領域部分がグレーアウト表示となるようになっている。なお、グレーアウト表示された領域部分をタップすると、用紙サイズ選択肢一覧２１１Ｂのポップアップ表示が消えるようになっている。あるいは、ポップアップ表示された用紙サイズ選択肢一覧２１１Ｂの上でさらにピンチイン操作を行うことによっても、用紙サイズ選択肢一覧２１１Ｂのポップアップ表示が消えるようになっている。
なお、用紙サイズ選択肢一覧２１１Ｂは本発明の「選択肢一覧」に対応する一具体例である。
【００３１】
図５の（Ｂ）は、印刷プレビュー表示部２０１上でのユーザによるピンチアウト操作の様子を表す模式図である。ここでいうピンチアウト操作とは、表示部１０Ａの表面に沿って、ユーザの２本の指Ｆ１および指Ｆ２が破線で示す互いに接近した状態から実線で示す互いに離間した状態に向かう方向へ移動する操作をいう。
【００３２】
図６は、図１に示した表示部１０Ａに表示される操作画面の第４の例を表す説明図である。図６に示した操作画面は、スマートフォン１を起動した際に表示される初期画面１００が表示された状態を表している。この初期画面１００は、例えば印刷ボタン１０１と、画像編集ボタン１０２とを含むメインメニューが記載された画面である。印刷ボタン１０１は、ユーザが印刷機能を選択する際にタッチするキーを表す部分であり、ユーザが印刷ボタン１０１をタッチすると印刷設定確認画面２００が表示されるようになっている。画像編集ボタン１０２は、ユーザが画像編集機能を選択する際にタッチするキーを表す部分であり、ユーザが画像編集ボタン１０２をタッチすると画像編集機能を提供する画面が表示されるようになっている。なお、初期画面１００のメインメニューには、さらに他の機能を提供する画面へ移行するボタンを含んでいてもよい。
【００３３】
［１．２  画像処理システムの動作および効果］
次に、本実施の形態における画像処理システムの動作および作用を説明する。
【００３４】
（全体動作概要）
まず、図１および図２を参照して、画像処理システムの全体動作概要を説明する。この画像処理システムでは、スマートフォン１において生成された印刷データ１２Ｃが、ＮＦＣ通信部１４を経由して近距離無線通信Ｃ１により画像形成装置２のＮＦＣ通信部２０へ送信される。画像形成装置２では、ＮＦＣ通信部２０において受信した印刷データ１２Ｃに基づき、用紙などの所定の媒体に対する印刷画像の印刷処理が実行される。
【００３５】
具体的には、ユーザがスマートフォン１においてアプリ１１０を起動させ、ユーザがアプリ１１０上でスマートフォン１を操作することにより、ＲＯＭ１２に記憶された印刷対象データ１２Ｄを取得する。さらに、ユーザによるアプリ１１０上でのスマートフォン１の操作により、ＵＩ制御部１１２が、取得した印刷対象データ１２Ｄに対し各種の印刷設定条件を反映した印刷データ１２Ｃを生成し、その印刷データ１２ＣをＲＯＭ１２に格納する。さらに、ユーザが印刷実行ボタン２０５をタップするなどして画像形成装置２に対する印刷実行処理の指示を確定すると、ＣＰＵ１３がＲＯＭ１２から印刷データ１２Ｃを読み出し、その印刷データ１２ＣをＮＦＣ通信部１４から近距離無線通信Ｃ１により画像形成装置２のＮＦＣ通信部２０へ送信する。
【００３６】
（スマートフォン１の詳細動作）
続いて、図１〜図６に加え、図７を参照して、スマートフォン１の詳細動作について説明する。図７は、スマートフォン１の詳細動作例を表すフローチャートである。
【００３７】
まず、ユーザがスマートフォン１を操作してアプリ１１０を起動し、表示部１０Ａに印刷設定確認画面２００を表示する（Ｓ１０１）。具体的には、ユーザがアプリ１１０を起動すると、スマートフォン１における操作パネル１０の表示部１０Ａは、ＵＩ制御部１１２の表示制御部１１２Ａからの指示に基づき、図６に示した初期画面１００を表示する。次に、ユーザが、初期画面１００のメインメニューから印刷ボタン１０１を選択すると、表示部１０Ａは、ＵＩ制御部１１２の表示制御部１１２Ａからの指示に基づき、図３に示した印刷設定確認画面２００を表示する。
【００３８】
次に、ＵＩ制御部１１２の入力制御部１１２Ｂは、印刷設定確認画面２００における印刷プレビュー表示部２０１上においてユーザがピンチアウト操作を行ったかどうかを確認する（ステップＳ１０２）。
【００３９】
ステップＳ１０２において、印刷プレビュー表示部２０１上でピンチアウト操作が行われたと入力制御部１１２Ｂが判断した場合（ステップＳ１０２Ｙ）、表示制御部１１２Ａは、例えば図５の（Ａ）に示した用紙サイズ選択肢一覧２１１Ｂを印刷プレビュー表示部２０１と重なる位置にポップアップ表示する（ステップＳ１０４）。用紙サイズ選択肢一覧２１１Ｂには、上述したように、用紙サイズの現在の設定値、すなわちＡ４サイズよりも大きな用紙サイズが複数の選択肢として含まれている。
【００４０】
一方、ステップＳ１０２において、印刷プレビュー表示部２０１上でピンチアウト操作が行われなかったと入力制御部１１２Ｂが判断した場合（ステップＳ１０２Ｎ）、入力制御部１１２Ｂは、印刷設定確認画面２００における印刷プレビュー表示部２０１上においてユーザがピンチイン操作を行ったかどうかを確認する（ステップＳ１０３）。
【００４１】
ステップＳ１０３において、印刷プレビュー表示部２０１上でピンチイン操作が行われたと入力制御部１１２Ｂが判断した場合（ステップＳ１０３Ｙ）、表示制御部１１２Ａは、例えば図４の（Ａ）に示した用紙サイズ選択肢一覧２１１Ａを印刷プレビュー表示部２０１と重なる位置にポップアップ表示する（ステップＳ１０５）。用紙サイズ選択肢一覧２１１Ａには、上述したように、用紙サイズの現在の設定値、すなわちＡ４サイズよりも小さな用紙サイズが複数の選択肢として含まれている。
【００４２】
ステップＳ１０４において用紙サイズ選択肢一覧２１１Ｂを表示部１０Ａにポップアップ表示したのち、またはステップＳ１０５において用紙サイズ選択肢一覧２１１Ｂを表示部１０Ａにポップアップ表示したのち、入力制御部１１２Ｂはユーザが設定値を選択したかどうかを確認する（ステップＳ１０６）。
【００４３】
ステップＳ１０６において、入力制御部１１２Ｂは、用紙サイズ選択肢一覧２１１Ｂまたは用紙サイズ選択肢一覧２１１Ａのうちのいずれかの選択肢、すなわち用紙サイズが選択されたことを確認した場合（Ｓ１０６Ｙ）、印刷設定変更処理を行う（ステップＳ１０８）。この印刷設定変更処理では、ＲＯＭ１２に記憶された現在の設定値データ１２Ｂの更新を行う。この印刷設定変更処理ののち、ステップＳ１０１に戻って図３に示した印刷設定確認画面２００を再度表示する。
【００４４】
ステップＳ１０６において入力制御部１１２Ｂがユーザによる設定値の選択を確認できなかった場合（Ｓ１０６Ｎ）、入力制御部１１２Ｂは、ユーザが印刷実行ボタン２０５を押したかどうかを確認する（Ｓ１０７）。なお、ステップＳ１０６において入力制御部１１２Ｂがユーザによる設定値の選択を確認できなかった場合とは、例えば用紙サイズ選択肢一覧２１１Ｂまたは用紙サイズ選択肢一覧２１１Ａのうちのいずれの選択肢も選択されずに用紙サイズ選択肢一覧２１１Ｂまたは用紙サイズ選択肢一覧２１１Ａが消去された場合が想定される。また、印刷実行ボタン２０５は、図４の（Ａ）の画面および図５の（Ａ）の画面のいずれにおいても押すことができる。
【００４５】
また、ステップＳ１０３において印刷プレビュー表示部２０１上でピンチイン操作が行われたことを入力制御部１１２Ｂが確認できなかった場合（ステップＳ１０３Ｎ）、入力制御部１１２Ｂは、図３に示した印刷設定確認画面２００においてユーザが印刷実行ボタン２０５を押したかどうかを確認する（Ｓ１０７）。
【００４６】
ステップＳ１０７において、印刷実行ボタン２０５が押されたことを入力制御部１１２Ｂが確認した場合（Ｓ１０７Ｙ）、印刷データ生成部１１１が印刷実行処理を行う（ステップＳ１０９）。具体的には、情報取得部１１１ＡがＲＯＭ１２に記憶された現在の設定値データ１２Ｂおよび印刷対象データ１２Ｄを取得する。次いで、送信制御部１１１Ｂは、情報取得部１１１Ａが取得した現在の設定値データ１２Ｂおよび印刷対象データ１２Ｄに基づいて、現在の設定値データ１２Ｂを印刷対象データ１２Ｄに反映させることで印刷データ１２Ｃを生成し、一旦ＲＯＭ１２に格納する。送信制御部１１１Ｂは、さらに、生成した印刷データ１２ＣをＲＯＭ１２から取得したのち、ＮＦＣ通信部１４の動作を制御することによりその印刷データ１２Ｃを、近距離無線通信Ｃ１により画像形成装置２のＮＦＣ通信部２０へ供給する。
【００４７】
ステップＳ１０７において、印刷実行ボタン２０５が押されたことを入力制御部１１２Ｂが確認できなかった場合（Ｓ１０７Ｎ）、ステップＳ１０１に戻って図３に示した印刷設定確認画面２００を再度表示する。
【００４８】
以上により、このフローは終了する（エンド）。
【００４９】
（効果）
このように、本実施の形態では、ＵＩ制御部１１２が、印刷プレビュー表示部２０１を含む印刷設定確認画面２００を操作画面として表示部１０Ａに表示させたのち、印刷プレビュー表示部２０１上においてジェスチャー操作がなされたときに、印刷プレビュー表示部２０１と少なくとも一部が重なる位置に用紙サイズ選択肢一覧２１１Ａ，２１１Ｂを表示部１０Ａに表示させるようにした。このため、ユーザは、従来のように別途、印刷設定画面を開いたのち所望の選択肢（用紙サイズ）を選択して確認ボタンを押したのち、さらにその印刷設定画面を閉じる、などの多段の処理ステップを経ることなく、所望の用紙サイズへの設定変更処理を速やかに行うことができる。
【００５０】
特に、本実施の形態では、ジェスチャー操作として、例えばピンチアウト操作のように拡大を想起させる操作をユーザが行った場合に、その操作の時点で有効な設定値、すなわち現在の設定値よりも大きな用紙サイズの選択肢（候補）の一覧（用紙サイズ選択肢一覧２１１Ｂ）を表示させるようにした。一方、例えばピンチイン操作のように縮小を想起させる操作をユーザが行った場合に、現在の設定値よりも小さな用紙サイズの選択肢（候補）の一覧（用紙サイズ選択肢一覧２１１Ａ）を表示させるようにした。このため、ユーザは、より直感的に所望の用紙サイズへの設定変更を迷うことなく速やかに行うことができる。したがって、より操作性に優れる。
【００５１】
なお、本実施の形態では、拡大を想起させる操作としてピンチアウト操作を例示すると共に縮小を想起させる操作としてピンチアウト操作を例示したが本発明はこれに限定されるものではない。例えば、拡大を想起させる操作として、ユーザは一本の指を、表示部１０Ａの中央付近から表示部１０Ａの外縁へ向かうように操作画面上を移動させる操作を対応づけてもよい。その場合、縮小を想起させる操作として、ユーザは一本の指を、表示部１０Ａの外縁から表示部１０Ａの中央付近へ向かうように操作画面上を移動させる操作を対応づけるとよい。あるいは、拡大を想起させる操作として、ユーザは一本の指を、表示部１０Ａの下部から表示部１０Ａの上部へ向かうように操作画面上を移動させる操作を対応づけてもよい。その場合、縮小を想起させる操作として、ユーザは一本の指を、表示部１０Ａの上部から表示部１０Ａの下部へ向かうように操作画面上を移動させる操作を対応づけるとよい。
【００５２】
また、本実施の形態では、用紙サイズ選択肢一覧２１１Ａ，２１１Ｂがポップアップ表示された操作画面においても、印刷実行ボタン２０５を操作可能なアクティブ状態とした。このため、用紙サイズ選択肢一覧２１１Ａ，２１１Ｂのポップアップ表示の有無に関わらず、印刷実行ボタン２０５をタップすることで速やかに印刷実行処理を行うことができる。
【００５３】
＜２．第１の実施の形態の変形例＞
［２．１  タッチパネル搭載型のＰＣ３の構成例］
上記第１の実施の形態では、画像処理装置の一具体例としてスマートフォン１を例示して説明したが、本実施の形態はこれに限定されるものではない。図８は、第１の実施の形態の変形例としてのタッチパネル搭載型のＰＣ３におけるパネル部分の平面構成例を表している。すなわち、ＰＣ３が本発明の「画像処理装置」の一具体例に対応する。なお、ＰＣ３は、図８に示したパネル部分と接続可能なキーボード部分を備えている。
【００５４】
図８に示したように、ＰＣ３は、タッチパネル２４０を有している。ＰＣ３は、図１に示した操作パネル１０の代わりに、その操作パネル１０よりも大きなタッチパネル２４０を備える。また、このＰＣ３では、ＣＰＵ１３においてアプリ１１０が実行される代わりにプリンタドライバが実行される。これらの点を除き、他はスマートフォン１と実質的に同じ構成である。ＰＣ３は、スマートフォン１と同様に、近距離無線通信Ｃ１などの通信網を介して画像形成装置２と接続されている。したがって、ＰＣ３において生成された印刷データ１２Ｃ（図１参照）が画像形成装置２へ送信され、その印刷データ１２Ｃに基づいて画像形成装置２が用紙などの媒体に印刷するようになっている。
なお、タッチパネル２４０は本発明の「インターフェイス部」に対応する一具体例である。
【００５５】
ＰＣ３では、プリンタドライバが起動されると、タッチパネル２４０に印刷設定画面２４１が表示されるようになっている（図８）。印刷設定画面２４１は、例えば印刷プレビュー表示部２４２と印刷設定部２６２とを含んでいる。
【００５６】
印刷プレビュー表示部２４２は、印刷プレビュー表示部２０１と同様、画像形成装置２において実際に媒体に印刷される際の仮想の仕上がりを表すプレビューを表示する部分である。印刷プレビュー表示部２４２に表示されるプレビューは、例えば、媒体の向き、媒体に対する印刷画像の位置、大きさおよび範囲、印刷画像がカラーであるかモノクロであるか、あるいは、片面印刷であるか両面印刷であるか、などの情報が取得できる程度のものである。または、印刷プレビュー表示部２４２に表示されるプレビューは、画像形成装置２において実際に媒体に印刷される印刷画像をそのまま縮小し、低解像度で表示されるものであってもよい。
【００５７】
印刷設定部２６２は、例えば複数の印刷設定条件と、各々の印刷設定条件における選択肢が表示されるプルダウンメニューとを含んでいる。複数の印刷設定条件としては、図８に示したように、例えば用紙サイズ、給紙方法、用紙種類、用紙厚、レイアウトタイプ、片面印刷であるか両面印刷であるか、印刷の向き、カラー・モノクロ設定などが挙げられる。
【００５８】
［２．２  タッチパネル搭載型のＰＣ３の動作および効果］
このＰＣ３においても、上記第１の実施の形態で説明したスマートフォン１と同様の機能が発揮されるようになっている。
【００５９】
すなわち、ＰＣ３が起動し、印刷設定画面２４１がタッチパネル２４０に表示された状態において、ユーザにより印刷プレビュー表示部２４２上で例えばピンチイン操作が行われると、図９に示したように用紙サイズ選択肢一覧２５１が印刷プレビュー表示部２４２と重なる位置にポップアップ表示される。なお、図９の用紙サイズ選択肢一覧２５１は、縮小を想起させる操作であるピンチイン操作により表示されるものであるので、現在の用紙サイズの設定値、すなわちＡ４サイズよりも小さな用紙サイズの候補を複数の選択肢として含んでいる。ユーザが用紙サイズ選択肢一覧２５１に含まれる用紙サイズの候補から所望の用紙サイズをタッチすることで、速やかに用紙サイズの設定変更処理が実行される。一方、ユーザにより印刷プレビュー表示部２４２上で例えばピンチアウト操作が行われると、現在の用紙サイズであるＡ４サイズよりも大きな用紙サイズの候補を複数の選択肢として含む用紙サイズ選択肢一覧が印刷プレビュー表示部２４２と重なる位置にポップアップ表示される。
【００６０】
このように、第１の実施の形態の変形例としてのＰＣ３においても、上記第１の実施の形態におけるスマートフォン１と同様の効果が得られる。すなわち、ユーザは、従来のように別途、印刷設定画面を開いたのち所望の選択肢（用紙サイズ）を選択して確認し、その印刷設定画面を閉じる、などの多段の処理ステップを経ることなく、所望の用紙サイズへの設定変更を速やかに行うことができる。さらに、ＰＣ３では、ジェスチャー操作の相違に応じて用紙サイズの選択肢（候補）を変更するようにしたので、ユーザは、より直感的に所望の用紙サイズへの設定変更を迷うことなく速やかに行うことができる。
【００６１】
＜３．第２の実施の形態＞
［３．１  スマートフォン１Ａの構成例］
上記第１の実施の形態で説明したスマートフォン１では、印刷プレビュー表示部２０１上での特定のジェスチャー操作により、その印刷プレビュー表示部２０１上に用紙サイズの選択肢一覧をポップアップ表示させるようにした。これに対し、第２の実施の形態としてのスマートフォン１Ａは、その機能に加え、印刷設定確認画面２００のうち印刷プレビュー表示部２０１以外の部分において特定のジェスチャー操作を行うことにより、用紙サイズを含む複数の印刷設定条件の設定値に関する印刷設定選択肢一覧を所定の位置にポップアップ表示するようにしたものである。スマートフォン１Ａはその点を除き、他は上記第１の実施の形態のスマートフォン１と実質的に同じ構成を有する。よって、以下の説明では、スマートフォン１と異なる箇所について主に説明し、スマートフォン１の構成要素と実質的に同じ構成要素については同じ符号を付して適宜その記載を省略する。
【００６２】
（スマートフォン１Ａの操作画面の構成例）
図１０は、図２に示したアプリ１１０の実行により、スマートフォン１Ａの表示部１０Ａに表示される操作画面の第１の例を表す説明図である。図１０では、印刷設定確認画面２００（図３）の上に、印刷設定値一覧２２１がポップアップ表示された状態を表している。図１０の印刷設定値一覧２２１は、ＲＯＭ１２に格納されている現在の設定値データ１２Ｂを反映したものであり、複数の印刷設定条件の各々に関連する複数の選択肢のうち、現在選択されている選択肢、すなわち現在の設定値のデータをまとめて掲載したものである。この印刷設定値一覧２２１は本発明の「設定値一覧」に対応する一具体例である。図１０の印刷設定値一覧２２１では、印刷設定条件として用紙サイズ、印刷レイアウト、片面印刷であるか両面印刷であるか、印刷画像がカラーであるかモノクロであるか、給紙箇所、の５つの項目を挙げ、それぞれの現在の設定値としてＡ４、２ｕｐ、両面（長辺綴じ）、カラー、ＭＰトレイを表示したものを例示している。
【００６３】
図１０の印刷設定値一覧２２１は、図３の印刷設定確認画面２００が表示されている状態において、印刷設定確認画面２００のうち印刷プレビュー表示部２０１以外の領域部分上でユーザが特定のジェスチャー操作を行うことによりポップアップ表示されるものである。より具体的には、アプリ１１０では、印刷設定確認画面２００のうち印刷プレビュー表示部２０１以外の領域部分、例えば印刷設定概略表示部２０４上で特定のジェスチャー操作、例えばピンチアウト操作をユーザが行うことにより、図１０に示したように印刷設定値一覧２２１がポップアップ表示されるようになっている。また、図１０に示したように、印刷設定値一覧２２１がポップアップ表示されると、印刷設定確認画面２００のうち印刷設定値一覧２２１および印刷実行ボタン２０５を除く領域部分がグレーアウト表示となるようになっている。なお、グレーアウト表示された領域部分をタップすると、印刷設定値一覧２２１のポップアップ表示が消えるようになっている。あるいは、ポップアップ表示された印刷設定値一覧２２１の上でさらにピンチイン操作を行うことによっても、印刷設定値一覧２２１のポップアップ表示が消えるようになっている。
【００６４】
図１１は、図２に示したアプリ１１０の実行により、スマートフォン１Ａの表示部１０Ａに表示される操作画面の第２の例を表す説明図である。図１１では、印刷設定確認画面２００（図３）の上に、印刷設定選択肢一覧２３１がポップアップ表示された状態を表している。印刷設定選択肢一覧２３１は、印刷設定値一覧２２１に含まれる印刷設定条件の各々について、画像形成装置２が有する機能の範囲内において設定可能な印刷設定の選択肢を全て配列したものである。印刷設定選択肢一覧２３１において、複数の印刷設定の選択肢は例えば表示部１０Ａに表示される操作画面の上下方向に配列されており、全ての印刷設定の選択肢のうち上下方向に連なる一部の印刷設定の選択肢のみ（図１１では８つの印刷設定の選択肢のみ）が視認可能領域２３１Ａに含まれている。視認可能領域２３１Ａとは、印刷設定選択肢一覧２３１のうち、ユーザが同時に視認可能な表示範囲をいう。視認可能領域２３１Ａ以外に位置する印刷設定の選択肢は、視認可能領域２３１Ａの上下方向に隠れた視認不可領域２３１Ｂに含まれている。但し、ユーザが印刷設定選択肢一覧２３１を上下方向へスクロールすることで、視認不可領域２３１Ｂにある他の印刷設定の選択肢についても選択的に視認可能領域２３１Ａに移動させることができるようになっている。
なお、印刷設定選択肢一覧２３１は、本発明の「選択肢一覧」に対応する一具体例であり、視認可能領域２３１Ａが本発明の「視認可能領域」に対応する一具体例である。また、上下方向が本発明の「第１の方向」に対応する一具体例である。
【００６５】
図１１の印刷設定選択肢一覧２３１は、図１０の印刷設定値一覧２２１が表示されている状態において、その印刷設定値一覧２２１上で特定のジェスチャー操作、例えばピンチアウト操作をユーザが行うことによりポップアップ表示されるようになっている。その際、複数の印刷設定条件のうち、ピンチアウト操作がなされた図１０の操作画面上の操作位置に対応する一の印刷設定条件の設定値に関する複数の選択肢が、印刷設定選択肢一覧２３１の視認可能領域２３１Ａに表示されるようになっているとよい。具体的には、図１０の印刷設定値一覧２２１のうち、ピンチアウト操作の始点位置に最も近接した位置に表示されている一の印刷設定条件に関する複数の選択肢が、視認可能領域２３１Ａに表示されるようになっているとよい。図１１では、図１０の印刷設定値一覧２２１のうちの印刷レイアウトに関する「２ｕｐ」が表示されている領域部分においてピンチアウト操作を行った際にポップアップ表示される印刷設定選択肢一覧２３１を例示している。この場合、印刷レイアウトに関する印刷設定の複数の選択肢である１ｕｐ、２ｕｐ、４ｕｐおよび６ｕｐが視認可能領域２３１Ａに表示されている。印刷設定選択肢一覧２３１に示された複数の印刷設定の選択肢のいずれかをユーザがタップすることで設定変更することができる。なお、図１１では、印刷設定選択肢一覧２３１に示された複数の印刷設定の選択肢のうち、現在の設定値に「＊」を付している。
【００６６】
［３．２  スマートフォン１Ａの動作および効果］
次に、本実施の形態におけるスマートフォン１Ａの動作および作用を説明する。
【００６７】
（スマートフォン１Ａの詳細動作）
続いて、図１２Ａおよび図１２Ｂを参照して、スマートフォン１Ａの詳細動作について説明する。図１２Ａおよび図１２Ｂは、スマートフォン１Ａの詳細動作例を表すフローチャートである。
【００６８】
まず、ユーザがスマートフォン１Ａを操作してアプリ１１０を起動し、表示部１０Ａに印刷設定確認画面２００を表示する（Ｓ２０１）。
【００６９】
次に、入力制御部１１２Ｂは、印刷設定確認画面２００においてユーザが印刷実行ボタン２０５を押したかどうかを確認する（Ｓ２０２）。ステップＳ２０２において、印刷実行ボタン２０５が押されたことを入力制御部１１２Ｂが確認した場合（Ｓ２０２Ｙ）、印刷データ生成部１１１が印刷実行処理を行う（ステップＳ２０３）。
【００７０】
一方、ステップＳ２０２において、印刷実行ボタン２０５が押されたことを入力制御部１１２Ｂが確認できなかった場合（Ｓ２０２Ｎ）、入力制御部１１２Ｂは、表示部１０Ａが図３に示した印刷設定確認画面２００を表示しているかどうかを確認する（ステップＳ２０４）。
【００７１】
ステップＳ２０４において表示部１０Ａが印刷設定確認画面２００を表示していることを入力制御部１１２Ｂにより確認できた場合（ステップＳ２０４Ｙ）、さらに例えば印刷設定概略表示部２０４上で特定のジェスチャー操作としてピンチアウト操作がユーザにより行われたかどうかを入力制御部１１２Ｂが確認する（ステップＳ２１０）。ステップＳ２１０において入力制御部１１２Ｂがピンチアウト操作を確認できなかった場合（ステップＳ２１０Ｎ）、ステップＳ２０２に戻る。ステップＳ２１０において入力制御部１１２Ｂがピンチアウト操作を確認できた場合（ステップＳ２１０Ｙ）、表示制御部１１２Ａが図１０の印刷設定値一覧２２１を表示（ステップＳ２１１）したのち、ステップＳ２０２に戻る。
【００７２】
ステップＳ２０４において表示部１０Ａが印刷設定確認画面２００を表示していることを入力制御部１１２Ｂにより確認できなかった場合（ステップＳ２０４Ｙ）、入力制御部１１２Ｂは、表示部１０Ａが印刷設定値一覧２２１をポップアップ表示しているかどうかを確認する（ステップＳ２０５）。
【００７３】
ステップＳ２０５において表示部１０Ａが印刷設定値一覧２２１を表示していることを入力制御部１１２Ｂにより確認できた場合（ステップＳ２０５Ｙ）、さらに印刷設定値一覧２２１上で特定のジェスチャー操作としてピンチイン操作がユーザにより行われたかどうかを入力制御部１１２Ｂが確認する（ステップＳ２２０）。
【００７４】
ステップＳ２２０において入力制御部１１２Ｂがピンチイン操作を確認できた場合（ステップＳ２２０Ｙ）、表示制御部１１２Ａが図１０の印刷設定値一覧２２１を閉じて図３の印刷設定確認画面２００を表示（ステップＳ２２１）したのち、ステップＳ２０２に戻る。ステップＳ２２０において入力制御部１１２Ｂがピンチイン操作を確認できなかった場合（ステップＳ２２０Ｎ）、印刷設定値一覧２２１上で特定のジェスチャー操作としてピンチアウト操作がユーザにより行われたかどうかを入力制御部１１２Ｂが確認する（ステップＳ２３０）。
【００７５】
ステップＳ２３０において入力制御部１１２Ｂがピンチアウト操作を確認できた場合（ステップＳ２３０Ｙ）、表示制御部１１２Ａが図１０の印刷設定値一覧２２１を閉じて図１１の印刷設定選択肢一覧２３１を表示（ステップＳ２３１）したのち、ステップＳ２０２に戻る。印刷設定選択肢一覧２３１では、印刷設定値一覧２２１に含まれる複数の印刷設定条件のうち、ピンチアウト操作がなされた図１０の操作画面上の操作位置に最も近接した位置に表示されている印刷設定条件に関する複数の選択肢が、視認可能領域２３１Ａに表示されるようになっているとよい。一方、ステップＳ２３０において入力制御部１１２Ｂがピンチアウト操作を確認できなかった場合（ステップＳ２３０Ｎ）、そのままステップＳ２０２に戻る。
【００７６】
ステップＳ２０５において表示部１０Ａが印刷設定値一覧２２１を表示していることを入力制御部１１２Ｂにより確認できなかった場合（ステップＳ２０５Ｎ）、印刷設定選択肢一覧２３１が表示部１０Ａに表示されているものと判断され、図１２Ｂに示したステップＳ２０６に進む。
【００７７】
ステップＳ２０６では、入力制御部１１２Ｂは、ユーザが印刷設定選択肢一覧２３１のうちのいずれかの印刷設定の選択肢を選択したかどうかを確認する。ステップＳ２０６においてユーザが印刷設定選択肢一覧２３１のうちのいずれかの印刷設定の選択肢を選択したことを、入力制御部１１２Ｂが確認した場合（ステップＳ２０６Ｙ）、印刷設定変更処理を行う（ステップＳ２４０）。この印刷設定変更処理では、ＲＯＭ１２に記憶された現在の設定値データ１２Ｂの更新を行う。この印刷設定変更処理ののち、図１１の印刷設定選択肢一覧２３１上においてユーザがピンチイン操作を行ったかどうかを入力制御部１１２Ｂが確認する（ステップＳ２４１）。ステップＳ２０６においてユーザが印刷設定選択肢一覧２３１のうちのいずれかの印刷設定の選択肢を選択したことを入力制御部１１２Ｂが確認できなかった場合（ステップＳ２０６Ｎ）、印刷設定変更処理を行うことなくステップＳ２４１に進む。
【００７８】
ステップＳ２４１では、印刷設定選択肢一覧２３１上でのピンチイン操作が確認できなかった場合（ステップＳ２４１Ｎ）、ステップＳ２０２に戻る。一方、ステップＳ２４１において印刷設定選択肢一覧２３１上でのピンチイン操作が確認できた場合（ステップＳ２４１Ｙ）、ステップＳ２１１に戻り、表示制御部１１２Ａが図１０の印刷設定値一覧２２１を再度表示する。
【００７９】
以上により、このフローは終了する（エンド）。
【００８０】
（効果）
このように、本実施の形態では、印刷設定確認画面２００の印刷設定概略表示部２０４上におけるピンチアウト操作により印刷設定値一覧２２１をポップアップ表示させ、その印刷設定値一覧２２１上におけるさらなるピンチアウト操作により印刷設定選択肢一覧２３１をポップアップ表示させるようにした。このため、ユーザは、従来のように別途、印刷設定画面を開いたのち所望の印刷設定の選択肢を選択して確認ボタンを押したのち、さらにその印刷設定画面を閉じる、などの多段の処理ステップを経ることなく、所望の印刷設定の選択肢への設定変更処理を速やかに行うことができる。
【００８１】
特に、本実施の形態では、印刷設定値一覧２２１上でのジェスチャー操作の位置に応じて、印刷設定選択肢一覧２３１の視認可能領域２３１Ａに表示される印刷設定の選択肢を変更するようにした。具体的には、図１０の印刷設定値一覧２２１のうち、ピンチアウト操作の始点位置に最も近接した位置に表示されている印刷設定条件に関する複数の選択肢が、視認可能領域２３１Ａに表示されるようにしている。このため、ユーザは、印刷設定値一覧２２１のうちの印刷設定の変更を希望する印刷設定条件が表示されている操作画面上の位置において直感的にピンチアウト操作を行うことで、その印刷設定条件に関する複数の選択肢を速やかに表示させることができる。よって、所望の印刷設定条件における所望の選択肢への設定変更を迷うことなく速やかに行うことができる。したがって、より操作性に優れる。
【００８２】
また、本実施の形態では、印刷設定値一覧２２１や印刷設定選択肢一覧２３１がポップアップ表示された操作画面においても、印刷実行ボタン２０５を操作可能なアクティブ状態とした。このため、印刷設定値一覧２２１や印刷設定選択肢一覧２３１のポップアップ表示の有無に関わらず、印刷実行ボタン２０５をタップすることで速やかに印刷実行処理を行うことができる。
【００８３】
＜４．第２の実施の形態の変形例＞
［４．１  タッチパネル搭載型のＰＣ３Ａの構成例］
上記第２の実施の形態では、画像処理装置の一具体例としてスマートフォン１Ａを例示して説明したが、本実施の形態はこれに限定されるものではない。図１３は、第２の実施の形態の変形例としてのタッチパネル搭載型のＰＣ３Ａにおけるパネル部分の平面構成例を表している。すなわち、ＰＣ３Ａも本発明の「画像処理装置」の一具体例に対応する。なお、ＰＣ３Ａは、上記第１の実施の形態のＰＣ３と同様、図１３に示したパネル部分と接続可能なキーボード部分を備えている。
【００８４】
上記第１の実施の形態の変形例で説明したＰＣ３（図８，図９）では、印刷プレビュー表示部２４２上での特定のジェスチャー操作により、その印刷プレビュー表示部２４２上に用紙サイズ選択肢一覧２５１をポップアップ表示させるようにした。これに対し、第２の実施の形態の変形例としてのＰＣ３Ａは、その機能に加え、印刷設定画面２４１のうち印刷設定部２６２上において特定のジェスチャー操作を行うことにより、図１３に示したように、用紙サイズを含む複数の印刷設定条件の設定値に関する印刷設定選択肢一覧２７１を所定の位置にポップアップ表示するようにしたものである。ＰＣ３はその点を除き、他は上記第１の実施の形態の変形例としてのＰＣ３と実質的に同じ構成を有する。よって、以下の説明では、ＰＣ３と異なる箇所について主に説明し、ＰＣ３の構成要素と実質的に同じ構成要素については同じ符号を付して適宜その記載を省略する。
【００８５】
図１３では、プリンタドライバの実行により、印刷設定画面２４１の上に、印刷設定選択肢一覧２７１がポップアップ表示された状態を表している。印刷設定選択肢一覧２７１は、印刷設定部２６２に含まれる印刷設定条件の各々について、画像形成装置２が有する機能の範囲内において設定可能な印刷設定の選択肢を全て配列したものである。印刷設定選択肢一覧２７１において、複数の印刷設定の選択肢は例えば上下方向に配列されており、全ての印刷設定の選択肢のうち上下方向に連なる一部の印刷設定の選択肢のみ（図１３では８つの印刷設定の選択肢のみ）が視認可能領域２７１Ａに含まれている。視認可能領域２７１Ａとは、印刷設定選択肢一覧２７１のうち、ユーザが同時に視認可能な表示範囲をいう。視認可能領域２７１Ａ以外に位置する印刷設定の選択肢は、視認可能領域２７１Ａの上下方向に隠れた視認不可領域２７１Ｂに含まれている。但し、ユーザが印刷設定選択肢一覧２７１を上下方向へスクロールすることで、視認不可領域２７１Ｂにある他の印刷設定の選択肢についても選択的に視認可能領域２７１Ａに移動させることができるようになっている。
なお、印刷設定選択肢一覧２７１は、本発明の「選択肢一覧」に対応する一具体例である。
【００８６】
図１３の印刷設定選択肢一覧２７１は、印刷設定画面２４１の印刷設定部２６２上で特定のジェスチャー操作、例えばピンチアウト操作をユーザが行うことによりポップアップ表示されるようになっている。その際、複数の印刷設定条件のうち、ピンチアウト操作がなされた操作画面上の操作位置に対応する一の印刷設定条件の設定値に関する複数の選択肢が、印刷設定選択肢一覧２７１の視認可能領域２７１Ａに表示されるようになっているとよい。具体的には、印刷設定部２６２に含まれる複数の印刷設定条件のうち、ピンチアウト操作の始点位置に最も近接した位置に表示されている一の印刷設定条件に関する複数の選択肢が、視認可能領域２７１Ａに表示されるようになっているとよい。図１３では、印刷設定部２６２（図８）のうちの印刷レイアウトに関する「通常印刷」が表示されている領域部分においてピンチアウト操作を行った際にポップアップ表示される印刷設定選択肢一覧２７１を例示している。この場合、印刷レイアウトに関する印刷設定の複数の選択肢である１ｕｐ、２ｕｐ、４ｕｐおよび６ｕｐが視認可能領域２７１Ａに表示されている。印刷設定選択肢一覧２７１に示された複数の印刷設定の選択肢のいずれかをユーザがタップすることで設定変更することができる。なお、図１３では、印刷設定選択肢一覧２７１に示された複数の印刷設定の選択肢のうち、現在の設定値に「＊」を付している。
【００８７】
［４．２  タッチパネル搭載型のＰＣ３Ａの動作および効果］
このＰＣ３Ａにおいても、上記第２の実施の形態で説明したスマートフォン１Ａと同様の機能が発揮されるようになっている。図１４を参照して、ＰＣ３Ａの詳細動作について説明する。図１４は、ＰＣ３Ａの詳細動作例を表すフローチャートである。
【００８８】
まず、ユーザがＰＣ３Ａを操作してプリンタドライバを起動し、タッチパネル２４０に印刷設定画面２４１を表示する（Ｓ３０１）。
【００８９】
次に、入力制御部１１２Ｂは、印刷設定画面２４１の印刷設定部２６２上においてユーザがピンチアウト操作を実行したかどうかを確認する（Ｓ３０２）。ステップＳ３０２において、印刷設定部２６２上でピンチアウト操作がなされたことを入力制御部１１２Ｂが確認した場合（Ｓ３０２Ｙ）、表示制御部１１２Ａが図１３の印刷設定選択肢一覧２７１を印刷設定部２６２と重なる位置にポップアップ表示する（ステップＳ３０３）。その際、印刷設定部２６２に記載された複数の印刷設定条件のうち、印刷設定部２６２上でピンチアウト操作がなされた位置に最も近接した位置にある一の印刷設定条件に関する複数の選択肢が視認可能領域２７１Ａに表示される。なお、ステップＳ３０２において、印刷設定部２６２上でピンチアウト操作がなされたことを入力制御部１１２Ｂが確認できなかった場合（Ｓ３０２Ｎ）、それが確認できるまでステップＳ３０２を繰り返す。
【００９０】
ステップＳ３０３において印刷設定選択肢一覧２７１を印刷設定部２６２と重なる位置にポップアップ表示したのち、入力制御部１１２Ｂは、ユーザが印刷設定選択肢一覧２７１のうちのいずれかの印刷設定の選択肢を選択したかどうかを確認する（ステップＳ３０４）。
【００９１】
ステップＳ３０４においてユーザが印刷設定選択肢一覧２７１のうちのいずれかの印刷設定の選択肢を選択したことを、入力制御部１１２Ｂが確認した場合（ステップＳ３０４Ｙ）、印刷設定変更処理を行う（ステップＳ３０５）。この印刷設定変更処理では、ＲＯＭ１２に記憶された現在の設定値データ１２Ｂの更新を行う。この印刷設定変更処理ののち、ステップＳ３０１に戻る。
【００９２】
ステップＳ３０４においてユーザが印刷設定選択肢一覧２７１のうちのいずれかの印刷設定の選択肢を選択したことを入力制御部１１２Ｂが確認できなかった場合（ステップＳ３０４Ｎ）、印刷設定変更処理を行うことなくステップＳ３０６に進む。
【００９３】
ステップＳ３０６では、入力制御部１１２Ｂは、印刷設定画面２４１においてユーザが印刷実行ボタン２４３を押したかどうかを確認する。ステップＳ３０６において、印刷実行ボタン２４３が押されたことを入力制御部１１２Ｂが確認した場合（Ｓ３０６Ｙ）、印刷データ生成部１１１が印刷実行処理を行う（ステップＳ３０７）。一方、ステップＳ３０６において、印刷実行ボタン２４３が押されたことを入力制御部１１２Ｂが確認できなかった場合（Ｓ３０６Ｎ）、ステップＳ３０３へ戻る。
【００９４】
以上により、このフローは終了する（エンド）。
【００９５】
このように、第２の実施の形態の変形例としてのＰＣ３Ａにおいても、上記第２の実施の形態におけるスマートフォン１Ａと同様の効果が得られる。すなわち、本変形例では、印刷設定画面２４１の印刷設定部２６２上におけるピンチアウト操作により印刷設定選択肢一覧２７１をポップアップ表示させるようにした。このため、ユーザは、従来のように別途、印刷設定画面を開いたのち所望の印刷設定の選択肢を選択して確認ボタンを押したのち、さらにその印刷設定画面を閉じる、などの多段の処理ステップを経ることなく、所望の印刷設定の選択肢への設定変更処理を速やかに行うことができる。
【００９６】
特に、本実施の形態では、印刷設定部２６２上でのジェスチャー操作の位置に応じて、図１３の印刷設定選択肢一覧２７１の視認可能領域２７１Ａに表示される印刷設定の選択肢を変更するようにした。具体的には、印刷設定選択肢一覧２７１のうち、ピンチアウト操作の始点位置に最も近接した位置に表示されている印刷設定条件に関する複数の選択肢が、視認可能領域２７１Ａに表示されるようにしている。このため、ユーザは、印刷設定部２６２のうちの印刷設定の変更を希望する印刷設定条件が表示されている操作画面上の位置において直感的にピンチアウト操作を行うことで、その印刷設定条件に関する複数の選択肢を速やかに表示させることができる。よって、所望の印刷設定条件における所望の選択肢への設定変更を迷うことなく速やかに行うことができる。
【００９７】
＜５．その他の変形例＞
以上、いくつかの実施の形態および変形例を挙げて本発明を説明したが、本発明は上記実施の形態等に限定されず、種々の変形が可能である。例えば、上記実施の形態等では、画像処理装置としてスマートフォンおよびタッチパネル搭載型ＰＣを例示して説明をしたが、本発明はこれに限定されるものではない。例えば、画像処理装置としてタブレット型情報端末装置やＰＤＡ（Personal Digital Assistant）などの他のモバイル端末装置を用いることができる。
【００９８】
また、上記第２の実施の形態のスマートフォン１Ａでは、印刷プレビュー表示部２４２上でのピンチアウト操作により、用紙サイズ選択肢一覧２１１Ａなどをポップアップ表示させる第１の機能に加え、例えば印刷設定概略表示部２０４上でピンチアウト操作を行うことにより印刷設定値一覧２２１をポップアップ表示させるなどの第２の機能を発揮するようにした。しかしながら、本発明の画像処理装置では、第１の機能を有さずに第２の機能を有するようにしてもよい。
【００９９】
また、上記実施の形態等で説明した各操作画面のレイアウトは例示であって、本発明の操作画面はそれらに限定されるものではない。例えば図６に示した初期画面１００のメインメニューは、印刷機能を選択する際に指などでタップする印刷ボタン１０１および画像編集機能を選択する際にタッチする画像編集ボタン１０２を含んでいるが、さらに他の機能を選択する際に指などでタップするボタンを含むようにしてもよい。また、図８などに示した印刷設定部２６２に記載の印刷設定条件や、図１１に示した印刷設定選択肢一覧２３１などに含まれる印刷設定の選択肢についてもあくまで例示にすぎず、他の印刷設定条件の項目や他の印刷設定の選択肢を含むようにしてもよい。
【０１００】
また、上記実施の形態等では、特定のジェスチャー操作として、ピンチアウト操作およびピンチイン操作を例示して説明したが、本発明はこれに限定されるものではない。操作画面に沿った面内における座標点の移動を伴うユーザの指もしくは指示体を媒介した操作であれば、スワイプやフリックなど他のジェスチャー操作を印刷設定値一覧などのポップアップ表示やその消去の処理と対応付けるようにしてもよい。また、本発明の特定のジェスチャー操作は、表示部の画面に実質的に平行なベクトルを含む指もしくはペンなど指示体の動作であれば、指示体が表示部の画面に直接触れた状態で実行されてもよいし、指示体が表示部の画面から離間した状態で実行されてもよい。なお、指示体は指やペンに限定されるものではない。さらに、ジェスチャー操作を行う際の指示体の画面上での移動距離の長短や指示体の画面上での移動速度の遅速に応じて、ポップアップ表示させる操作画面の種類を変更したり、ポップアップ表示された操作画面の表示倍率を変更したりしてもよい。
【符号の説明】
【０１０１】
１，１Ａ…スマートフォン、２…画像形成装置、３，３Ａ…ＰＣ、１０…操作パネル、１０Ａ…表示部、１０Ｂ…操作受付部、１１…ＲＡＭ、１２…ＲＯＭ、１２Ａ…印刷設定選択肢一覧データ、１２Ｂ…現在の設定値データ、１２Ｃ…印刷データ、１２Ｄ…印刷対象データ、１３…ＣＰＵ、１４，２０…ＮＦＣ通信部、１００…初期画面、１０１…印刷ボタン、１０２…画像編集ボタン、１１０…アプリケーションソフトウェア、１１１…印刷データ生成部、１１１Ａ…情報取得部、１１１Ｂ…送信制御部、１１２…ＵＩ制御部、１１２Ａ…表示制御部、１１２Ｂ…入力制御部、２００…印刷設定確認画面、２０１…印刷プレビュー表示部、２０２…印刷ページ数表示部、２０３…出力先表示部、２０４…印刷設定概略表示部、２０５…印刷実行ボタン、２１１Ａ，２１１Ｂ…用紙サイズ選択肢一覧、２２１…印刷設定値一覧、２３１，２７１…印刷設定選択肢一覧、２３１Ａ，２７１Ａ…視認可能領域、２３１Ｂ，２７１Ｂ…視認不可領域、２４０…タッチパネル、２４１…印刷設定画面、２４２…印刷プレビュー表示部、２４３…印刷実行ボタン、２５１…用紙サイズ選択肢一覧、２６２…印刷設定部、Ｆ１，Ｆ２…指。
【図１】
2019097110.tif 000003
【図２】
2019097110.tif 000004
【図３】
2019097110.tif 000005
【図４】
2019097110.tif 000006
【図５】
2019097110.tif 000007
【図６】
2019097110.tif 000008
【図７】
2019097110.tif 000009
【図８】
2019097110.tif 000010
【図９】
2019097110.tif 000011
【図１０】
2019097110.tif 000012
【図１１】
2019097110.tif 000013
【図１２Ａ】
2019097110.tif 000014
【図１２Ｂ】
2019097110.tif 000015
【図１３】
2019097110.tif 000016
【図１４】
2019097110.tif 000017